【手続補正書】
【提出日】平成28年7月21日(2016.7.21)
【手続補正１】
【補正対象書類名】明細書
【補正対象項目名】０００７
【補正方法】変更
【補正の内容】
【０００７】
第１の発明は、第１アプリケーションに対応する第１オブジェクトを第１サイズで表示し、第２アプリケーションに対応する第２オブジェクトを第１サイズより大きい第２サイズで表示する表示部、表示部に対するタッチ操作を検出するタッチパネル、および制御部を備え、制御部は、第１オブジェクトおよび第２オブジェクトが表示されている間に第１タッチ操作が検出されると、表示部に、第２サイズの第３オブジェクトを表示させ、少なくとも第２オブジェクトのサイズを、第３オブジェクト内に表示できるように縮小表示させ、第３オブジェクト内に第１オブジェクトおよび第２オブジェクトを表示させる、電子機器である。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】変更
【補正の内容】
【００１０】
第２の発明は、第１の発明に従属し、表示部が第３オブジェクト外に第３アプリケーションに対応する第４オブジェクトを表示するとき、制御部は、第３オブジェクトに対する第２タッチ操作が検出されると、第１オブジェクトを第１サイズで表示させ、第２オブジェクトを第２サイズで表示させ、第１オブジェクトおよび第２オブジェクトと、第４オブジェクトとを区切る境界を表示させる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
第３の発明は、第１または第２の発明に従属し、第３オブジェクトに、第１オブジェクトおよび第２オブジェクトを含む複数のオブジェクトが関連付けられているとき、制御部は、複数のオブジェクトのうちから選択されるオブジェクトの第１集合を第１期間において第３オブジェクト内に表示させ、第１期間後に、複数のオブジェクトのうちから選択されるオブジェクトの第２集合を第２期間において第３オブジェクト内に表示させる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
第４の発明は、第３の発明に従属し、制御部は、第３オブジェクトに対するタッチ操作が少なくとも１つ検出されると、第１集合および第２集合の両方を第３オブジェクト内に表示させる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
第５の発明は、第４の発明に従属し、制御部は、第３オブジェクトに対するタッチ操作が少なくとも１つ検出されると、第３オブジェクトの表示サイズを拡大させることで、第１集合および第２集合の両方を第３オブジェクト内に表示させる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
第６の発明は、第１の発明に従属し、制御部は、第３オブジェクトに対するタッチ操作が少なくとも１つ検出されると、第１オブジェクトおよび第２オブジェクトを、第３オブジェクト内に表示される前の元のサイズで表示させる。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】変更
【補正の内容】
【００２４】
第７の発明は、第６の発明に従属し、表示部が第３オブジェクト外に第３アプリケーションに対応する第４オブジェクトを表示するとき、制御部は、第３オブジェクトに対する第３タッチ操作が検出されると、第１オブジェクトおよび第２オブジェクトを、第３オブジェクト内に表示される前の元のサイズで表示させ、第１オブジェクトおよび第２オブジェクトと、第４オブジェクトとを区切る境界を表示させる。
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
第８の発明は、第１の発明に従属し、制御部は、第２オブジェクトが第３オブジェクト内に表示されないとき、第２オブジェクトに対するタッチ操作が検出されると、第２アプリケーションを実行し、第２オブジェクトが第３オブジェクト内に表示されるとき、第２オブジェクトに対するタッチ操作が検出されても、第２アプリケーションを実行しない。
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】変更
【補正の内容】
【００３０】
第９の発明は、第１アプリケーションに対応する第１オブジェクトを第１サイズで表示し、第２アプリケーションに対応する第２オブジェクトを第１サイズより小さい第２サイズで表示する表示部、表示部に対するタッチ操作を検出するタッチパネル、および制御部を備える、電子機器の表示方法であって、制御部は、第１オブジェクトおよび第２オブジェクトが表示されている間に第１タッチ操作が検出されると、表示部に、第２サイズの第３オブジェクトを表示させ、少なくとも第２オブジェクトのサイズを、第３オブジェクト内に表示できるように縮小表示させ、第３オブジェクト内に第１オブジェクトおよび第２オブジェクトを表示させる、表示方法である。
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】変更
【補正の内容】
【００３３】
第１０の発明は、第１アプリケーションに対応する第１オブジェクトを第１サイズで表示し、第２アプリケーションに対応する第２オブジェクトを第１サイズより小さい第２サイズで表示する表示部、表示部に対するタッチ操作を検出するタッチパネル、およびプロセッサを備える、電子機器の表示制御プログラムであって、プロセッサに第１オブジェクトおよび第２オブジェクトが表示されている間に第１タッチ操作が検出されると、表示部に、第２サイズの第３オブジェクトを表示させ、少なくとも第２オブジェクトのサイズを、第３オブジェクト内に表示できるように縮小表示させ、第３オブジェクト内に第１オブジェクトおよび第２オブジェクトを表示させる、表示制御プログラムである。
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】特許請求の範囲
【補正対象項目名】全文
【補正方法】変更
【補正の内容】
【特許請求の範囲】
【請求項１】
第１アプリケーションに対応する第１オブジェクトを第１サイズで表示し、第２アプリケーションに対応する第２オブジェクトを前記第１サイズより大きい第２サイズで表示する表示部、
前記表示部に対するタッチ操作を検出するタッチパネル、および
制御部を備え、
前記制御部は、前記第１オブジェクトおよび前記第２オブジェクトが表示されている間に第１タッチ操作が検出されると、前記表示部に、
前記第２サイズの第３オブジェクトを表示させ、
少なくとも前記第２オブジェクトのサイズを、前記第３オブジェクト内に表示できるように縮小表示させ、
前記第３オブジェクト内に前記第１オブジェクトおよび前記第２オブジェクトを表示させる、電子機器。
【請求項２】
前記表示部が第３オブジェクト外に第３アプリケーションに対応する第４オブジェクトを表示するとき、
前記制御部は、前記第３オブジェクトに対する第２タッチ操作が検出されると、
前記第１オブジェクトを前記第１サイズで表示させ、前記第２オブジェクトを前記第２サイズで表示させ、 
前記第１オブジェクトおよび前記第２オブジェクトと、前記第４オブジェクトとを区切る境界を表示させる、請求項１記載の電子機器。
【請求項３】
前記第３オブジェクトに、前記第１オブジェクトおよび前記第２オブジェクトを含む複数のオブジェクトが関連付けられているとき、
前記制御部は、
前記複数のオブジェクトのうちから選択されるオブジェクトの第１集合を第１期間において前記第３オブジェクト内に表示させ、
前記第１期間後に、前記複数のオブジェクトのうちから選択されるオブジェクトの第２集合を第２期間において前記第３オブジェクト内に表示させる、請求項１または請求項２記載の電子機器。
【請求項４】
前記制御部は、前記第３オブジェクトに対するタッチ操作が少なくとも１つ検出されると、前記第１集合および前記第２集合の両方を前記第３オブジェクト内に表示させる、請求項３記載の電子機器。
【請求項５】
前記制御部は、前記第３オブジェクトに対するタッチ操作が少なくとも１つ検出されると、前記第３オブジェクトの表示サイズを拡大させることで、前記第１集合および前記第２集合の両方を前記第３オブジェクト内に表示させる、請求項４記載の電子機器。
【請求項６】
前記制御部は、前記第３オブジェクトに対するタッチ操作が少なくとも１つ検出されると、前記第１オブジェクトおよび前記第２オブジェクトを、前記第３オブジェクト内に表示される前の元のサイズで表示させる、請求項１記載の電子機器。
【請求項７】
前記表示部が前記第３オブジェクト外に第３アプリケーションに対応する第４オブジェクトを表示するとき、
前記制御部は、前記第３オブジェクトに対する第３タッチ操作が検出されると、
前記第１オブジェクトおよび前記第２オブジェクトを、前記第３オブジェクト内に表示される前の元のサイズで表示させ、
前記第１オブジェクトおよび前記第２オブジェクトと、前記第４オブジェクトとを区切る境界を表示させる、請求項６記載の電子機器。 
【請求項８】
前記制御部は、
前記第２オブジェクトが前記第３オブジェクト内に表示されないとき、前記第２オブジェクトに対するタッチ操作が検出されると、前記第２アプリケーションを実行し、
前記第２オブジェクトが前記第３オブジェクト内に表示されるとき、前記第２オブジェクトに対するタッチ操作が検出されても、前記第２アプリケーションを実行しない、請求項１記載の電子機器。 
【請求項９】
第１アプリケーションに対応する第１オブジェクトを第１サイズで表示し、第２アプリケーションに対応する第２オブジェクトを前記第１サイズより小さい第２サイズで表示する表示部、前記表示部に対するタッチ操作を検出するタッチパネル、および
制御部を備える、電子機器の表示方法であって、
前記制御部は、前記第１オブジェクトおよび前記第２オブジェクトが表示されている間に第１タッチ操作が検出されると、前記表示部に、
前記第２サイズの第３オブジェクトを表示させ、
少なくとも前記第２オブジェクトのサイズを、前記第３オブジェクト内に表示できるように縮小表示させ、
前記第３オブジェクト内に前記第１オブジェクトおよび前記第２オブジェクトを表示させる、表示方法。
【請求項１０】
第１アプリケーションに対応する第１オブジェクトを第１サイズで表示し、第２アプリケーションに対応する第２オブジェクトを前記第１サイズより小さい第２サイズで表示する表示部、前記表示部に対するタッチ操作を検出するタッチパネル、および
プロセッサを備える、電子機器の表示制御プログラムであって、前記プロセッサに
前記第１オブジェクトおよび前記第２オブジェクトが表示されている間に第１タッチ操作が検出されると、前記表示部に、
前記第２サイズの第３オブジェクトを表示させ、
少なくとも前記第２オブジェクトのサイズを、前記第３オブジェクト内に表示できるように縮小表示させ、
前記第３オブジェクト内に前記第１オブジェクトおよび前記第２オブジェクトを表示させる、表示制御プログラム。